(57)【要約】【課題】継手本体１と管Ｐの間にスリーブ９及びこれに保持させる抜け止め玉１１を配置し、スリーブ９を軸方向外側へ移動させることによって、継手本体１の内面に形成した奥側が大径となるテーパ面３ａで抜け止め玉１１を管Ｐ外面に押し付け、管Ｐの抜け出しを防止する抜け止め機構１２を備えた管継手において、スリーブ９が管Ｐの自重及び曲げ荷重を受けることなく軸方向に容易に移動でき、作業性が良く、また所定の抜け止め作用を確実に安定して得ることができる管継手を提供する。【解決手段】継手本体１の開口端部にスリーブ９内径以上で管Ｐ外径以下の突起２０を周方向に所定間隔おきに形成し、スリーブ９にこの一端から継手本体１の各突起２０をはめ込む所定深さの切り込み２１を形成し、継手本体１の各突起２０にて管Ｐの自重及び曲げ荷重を受ける。【選択図】    図１
2004197855.tif 000002
【特許請求の範囲】
【請求項１】
継手本体と管の間にスリーブ及びこれに保持させる抜け止め玉を配置し、スリーブを軸方向外側へ移動させることによって、継手本体の内面に形成した奥側が大径となるテーパ面で抜け止め玉を管外面に押し付け、管の抜け出しを防止する抜け止め機構を備えた管継手において、継手本体の開口端部にスリーブ内径以上で管外径以下の突起を周方向に所定間隔おきに形成し、スリーブにこの一端から継手本体の各突起をはめ込む所定深さの切り込みを形成したことを特徴とする管継手。
【発明の詳細な説明】
【０００１】
【発明が属する技術分野】
本発明は、継手本体と管の間にスリーブ及びこれに保持させる抜け止め玉を配置し、スリーブを軸方向外側へ移動させることによって、継手本体の内面に形成した奥側が大径となるテーパ面で抜け止め玉を管外面に押し付け、管の抜け出しを防止する抜け止め機構を備えた管継手に関する。
【０００２】
【従来の技術】
従来の抜け止め機構は、抜け止め玉として硬質のボールを用い、このボールを、スリーブに周方向に等間隔に形成された外面側の開口径が大径となるテーパ状の貫通孔に外面側からはめ込み保持させ、スリーブを、この奥側に配置されたコイルバネ、板バネ、ゴム弾性体等の弾性部材で軸方向外側へ押し出すようにしていた。（例えば、特許文献１参照。）。
【０００３】
また、抜け止め玉として外表面にローレット加工を施し、かつ、中心に孔あけ加工を施して軸孔を形成した樽形状で硬質のコマを用い、このコマをリング状のワイヤに複数挿通させた状態で、このワイヤをスリーブにはめ込み、各コマを、スリーブに周方向に等間隔に形成された貫通孔に保持させ、スリーブを上記と同様の弾性部材で軸方向外側へ押し出すものもあった（例えば、特許文献２参照。）。
【０００４】
さらに、スリーブの一端部を継手本体の端部から外側に突出させ、この突出端部に半径方向外側へ突出するフランジを形成し、このフランジに螺着させて端部を継手本体の端面に当接させる引き出しボルトによって、スリーブを軸方向外側に引き出すものもあった（例えば、特許文献３参照。）。
【０００５】
【特許文献１】
特開平６−２７２７９５号公報
【特許文献２】
特開２０００−１７９７６９号公報
【特許文献３】
特開２００２−９８２７６号公報
【０００６】
【発明が解決しようとする課題】
上記のような抜け止め機構を備えた管継手の場合、継手本体にスリーブを介して管を受けるようになり、管が直接スリーブに接触するため、管の自重及び曲げ荷重がスリーブにかかり、スリーブの軸方向の移動荷重が非常に大きくなり、作業性が悪いばかりでなく、スリーブの動作不良の可能性があり、所定の抜け止め作用を確実に安定して得難いという問題があった。
【０００７】
そこで、本発明の目的は、スリーブが管の自重及び曲げ荷重を受けることなく軸方向に容易に移動でき、作業性が良く、また所定の抜け止め作用を確実に安定して得ることができる管継手を提供することにある。
【０００８】
【課題を解決するための手段】
上記の目的を達成するための本発明の管継手は、継手本体と管の間にスリーブ及びこれに保持させる抜け止め玉を配置し、スリーブを軸方向外側へ移動させることによって、継手本体の内面に形成した奥側が大径となるテーパ面で抜け止め玉を管外面に押し付け、管の抜け出しを防止する抜け止め機構を備えた管継手において、継手本体の開口端部にスリーブ内径以上で管外径以下の突起を周方向に所定間隔おきに形成し、スリーブにこの一端から継手本体の各突起をはめ込む所定深さの切り込みを形成したことを特徴とする。
【０００９】
上記の構成を採用することによって、継手本体の各突起にて管の自重及び曲げ荷重を受けるから、スリーブは、管の自重及び曲げ荷重を受けることなく軸方向に容易に移動できるようになり、作業性が良くなり、また所定の抜け止め作用を確実に安定して得ることができるようになる。
【００１０】
【発明の実施の形態】
以下、本発明の一実施例を図面に基づいて詳述する。図１乃至図１４は本発明に係る管継手の一実施例を示し、図中１はソケット形の金属製の継手本体で、接続すべき金属製の管Ｐの端部を挿入する継手受け口部２を左右対称に一体形成してなり、この各継手受け口部２はこれに挿入される管（以下、「挿入管」という。）Ｐの端部を気密に連結するための構造を有し、この構造を以下に説明する。
【００１１】
図１乃至図７に示す如く、継手受け口部２の内面には、この開口端（外側端）より所定寸法奥側へ入った軸方向位置から奥側に、奥側へ向かうに従って直径を拡径する（軸方向外側へ向かうに従って直径を縮径する）テーパ溝３を形成し、そのテーパ溝３の最奥端から奥側に、テーパ溝３の最大直径と同じ直径を溝幅全長にわたって有する玉収容溝４を連続形成し、その玉収容溝４の奥側に溝隔壁５を挟んでパッキン装着溝６を形成し、そのパッキン装着溝６よりさらに所定寸法奥側に半径方向内側に突出する継手受け口底壁７を形成し、パッキン装着溝６に環状のゴムパッキン８をはめ込んでいる。またパッキン装着溝６と継手受け口底壁７の間の内径を挿入管Ｐの外径より僅か大径に形成し、継手受け口底壁７部の内径を挿入管Ｐの内径とほぼ同径に形成し、継手受け口底壁７によって挿入管Ｐの挿入長さを規定している。さらに継手受け口部２の開口端からテーパ溝３までの内径と溝隔壁５部の内径を、挿入管Ｐの外径より僅か大径の内径を有して内周に挿入管Ｐを挿通可能な樹脂製のスリーブ９の外径より僅か大径に形成し、継手受け口部２のパッキン装着溝６より軸方向外側の内周にスリーブ９を軸方向に移動自在に挿入している。
【００１２】
図１乃至図５、図８乃至図１１に示す如く、スリーブ９は、この継手受け口部２に対する挿入端側寄りの部位に、内外周に貫通する貫通孔１０を複数個（本実施例では６個）周方向に等間隔に開口形成し、各貫通孔１０に１個ずつ金属製の抜け止め玉１１をはめ込み保持している。抜け止め玉１１は、継手受け口部２の玉収容溝４部の内面と挿入管Ｐの外面の間に形成される周方向の隙間より小径で、かつ、スリーブ９の厚みより大径の最大直径を有する中実構造の樽形状に形成し、外表面にはローレット加工を施して軸方向に平行なローレット１１ａを形成している。また各貫通孔１０は、軸方向断面が台形状となる四角形状のテーパ孔に形成するもので、周方向の孔幅を深さ全長にわたって抜け止め玉１１の軸方向長さより僅か長く形成し、周方向で対向する孔周壁面を平行に形成する一方、スリーブ９の外面側の軸方向孔幅が抜け止め玉１１の最大直径より僅か長く、かつ、スリーブ９の内面側の軸方向孔幅が抜け止め玉１１の最大直径より僅か短くなるように、軸方向で対向する孔周壁面を傾斜させてテーパ面１０ａに形成している。抜け止め玉１１は、貫通孔１０にスリーブ９の外面側からはまり込み、軸方向及び周方向の移動が規制され、かつ、対向するテーパ面１０ａにて受け止められてスリーブ９の内周側への脱落が規制され、抜け止め玉１１の一部がスリーブ９の内外面に突出した状態で保持され、これによって、抜け止め玉１１が継手受け口部２の玉収容溝４内に６個周方向に等間隔に収容保持され、かつ、全ての抜け止め玉１１がスリーブ９と一体的に軸方向へ移動できるようにしてある。
【００１３】
図１０に示す如く、貫通孔１０は、この中にはめ込まれる抜け止め玉１１に対してスリーブ９の外面側から内面側への押し込み力が働かない状態において、スリーブ９の内面からの抜け止め玉１１の突出量が最も少なくなり（スリーブ９の外面からの抜け止め玉１１の突出量が最も多くなり）、スリーブ９の内面からの各抜け止め玉１１の突出端を結ぶ円の直径が挿入管Ｐの外径とほぼ同径になる最も浅い深さ位置（図１０のイ位置）に、抜け止め玉１１を対向するテーパ面１０ａにて受け止める一方、抜け止め玉１１に対して押し込み力が働いたときには、対向するテーパ面１０ａを僅かに凹み変形させながら、抜け止め玉１１を最も浅い深さ位置からさらに深い深さ位置に受け入れ、スリーブ９の内面からの抜け止め玉１１の突出量を増大させ（スリーブ９の外面からの抜け止め玉１１の突出量を減少させ）、スリーブ９の内面からの各抜け止め玉１１の突出端を結ぶ円の直径が挿入管Ｐの外径以下になる深さ位置（図１０のロ位置）を越え、抜け止め玉１１の中心を貫通孔１０の中に残す状態で、抜け止め玉１１の半分近くをスリーブ９の内面側に突出させ、スリーブ９の外面からの抜け止め玉１１の突出量が最も少なくなり（スリーブ９の内面からの抜け止め玉１１の突出量が最も多くなり）、スリーブ９の外面からの各抜け止め玉１１の突出端を結ぶ円の直径が継手受け口部２の開口端部の内径以下になる最も深い深さ位置（図１０のハ位置）まで受け入れることができ、かつ、最も浅い深さ位置と最も深い深さ位置の間の深さ位置に抜け止め玉１１を受け入れているとき、この抜け止め玉１１を対向するテーパ面１０ａの間で挟持し、各抜け止め玉１１をスリーブ９に保持できるようになっている。
【００１４】
そして、図１、図３、図４に示す如く、スリーブ９を軸方向外側へ移動させることによって、各抜け止め玉１１を玉収容溝４内からこの軸方向外側に連続形成されたテーパ溝３内に移動させ、テーパ溝３の周壁面であるテーパ面３ａに各抜け止め玉１１のスリーブ９の外面側に突出する外表面を押し付け、各抜け止め玉１１に対してこれを半径方向内側へ押し込む力を付与し、各抜け止め玉１１を貫通孔１０の内方に強制的に押し込み、スリーブ９の内面からの抜け止め玉１１の突出量を増大させ（スリーブ９の外面からの抜け止め玉１１の突出量を減少させ）、挿入管Ｐの外面に各抜け止め玉１１のスリーブ９の内面側に突出する外表面を押し付け、継手受け口部２からの挿入管Ｐの抜け出しを防止する抜け止めを行う一方、この抜け止め状態からスリーブ９を奥側へ移動させることによって、各抜け止め玉１１をテーパ溝３内からこの奥側に連続形成された玉収容溝４内に移動させ、各抜け止め玉１１をテーパ面３ａから離反させ、挿入管Ｐの外面に対する各抜け止め玉１１の押し付けを解除し（抜け止めを解除し）、挿入管Ｐの端部を継手受け口部２に対して自由に抜き挿しできるようにしてある。即ち、継手本体１の継手受け口部２と挿入管Ｐの間にスリーブ９及びこれに保持させる抜け止め玉１１を配置し、スリーブ９を軸方向外側へ移動させることによって、継手受け口部２の内面に形成した奥側が大径となるテーパ面３ａで抜け止め玉１１を挿入管Ｐの外面に押し付け、挿入管Ｐの抜け出しを防止する抜け止め機構１２を備えている。
【００１５】
図１乃至図５、図１２乃至図１４に示す如く、継手受け口部２の開口端部外周には金属製の外リング１３をはめている。この外リング１３の内径を継手受け口部２の開口端部外径より僅か大径に形成すると共に、継手受け口部２の外面から半径方向外側へ突出する係合ピン１４と外リング１３の周壁に形成するガイド溝１５のはめ合いによって、外リング１３が継手受け口部２に対して所定の範囲内で周方向に回転及び軸方向に移動できるようにしてある。また外リング１３の一端部（継手受け口部２に対するはめ込み側端と反対側の一端部）を継手受け口部２の開口端より軸方向外側へ突出させ、この突出端に半径方向内側へ突出するフランジ１６を形成すると共に、スリーブ９の一端部（継手受け口部２に対する挿入端側と反対側の一端部）を継手受け口部２の開口端より軸方向外側へ突出させ、この突出端に半径方向外側へ突出するフランジ１７を形成し、スリーブ９のフランジ１７を外リング１３のフランジ１６にこの軸方向外側にて重ね合わせ（係合させ）、継手受け口部２の端面とこの端面に対向する外リング１３のフランジ１６の間に配置する弾性部材であるコイルバネ１８によって外リング１３及びスリーブ９を一体的に軸方向外側へ付勢し、抜け止め機構１２を作動状態で保持できるようにしてある。
【００１６】
ガイド溝１５は、軸方向に形成する縦溝部１５ａとこの縦溝部１５ａの一端部に連通させて周方向へ形成する横溝部１５ｂを有する鉤形に形成し、縦溝部１５ａ内に係合ピン１４を位置させることによって、外リング１３を縦溝部１５ａの範囲内で軸方向へ移動可能とし、その外リング１３の軸方向への移動範囲内で、スリーブ９を、抜け止め機構１２が作動状態となる軸方向位置（押し出し位置）と抜け止め機構１２が非作動状態となる軸方向位置（押し込み位置）へ移動できるようにしてあると共に、外リング１３を継手受け口部２に対して最も押し込んだ軸方向位置から一方向に回転させることによって、係合ピン１４が縦溝部１５ａの一端部から横溝部１５ｂに係入でき、横溝部１５ｂ内に係合ピン１４を位置させることによって、外リング１３を継手受け口部２に対して最も押し込んだ軸方向位置にて位置保持し、スリーブ９に対するバネ付勢を解除し、スリーブ９を、抜け止め機構１２が非作動状態となる軸方向位置（押し込み位置）にて手放し状態で位置保持できるようにしてある。一般に、挿入管Ｐの外径には１パーセント程度のバラツキがあり、このバラツキによって抜け止め機構１２が作動状態と非作動状態に切り換わるのに必要なスリーブ９の軸方向の移動ストロークも僅か変化するため、この変化を吸収できるように縦溝部１５ａの長さが設定されている。またガイド溝１５は、横溝部１５ｂと反対側の縦溝部１５ａの一側に、外リング１３の継手受け口部２に対するはめ込み側端に一端を開放するピン導入溝部１５ｃを有し、このピン導入溝部１５ｃの他端を横溝部１５ｂと反対側の縦溝部１５ａの中間部一側縁に連通接続し、係合ピン１４をピン導入溝部１５ｃを介して外リング１３の継手受け口部２に対するはめ込み側端から縦溝部１５ａの中間部に導入できるようにしてある。さらに継手受け口部２の外面には、係合ピン１４が複数本（本実施例では２本）等間隔に設けられ、これに対応して外リング１３の周壁には、ガイド溝１５が係合ピン１４と同数だけ周方向に等間隔に設けられ、１本の係合ピン１４と１個のガイド溝１５を１組として２組設け、継手受け口部２に対する外リング１３の周方向の回転案内及び軸方向の移動案内及び最押し込み位置での位置保持及び抜け止め等を複数箇所（本実施例では１８０度対称位置の２箇所）で適正に行えるようにしてある。
【００１７】
外リング１３のフランジ１６部の内径を、スリーブ９のフランジ１７以外の胴部外径より僅か大径に形成し、このフランジ１６の軸方向外面の端縁部に、スリーブ９のフランジ１７部の外径より僅か大径の直径を有し、かつ、スリーブ９のフランジ１７部の肉厚と同じ深さを有する環状の段差溝１６ａを形成し、この段差溝１６ａ部にスリーブ９のフランジ１７を軸方向外側からはめ込み、スリーブ９のフランジ１７の軸方向外面と外リング１３のフランジ１６の軸方向外面が面一になるようにしてある。また外リング１３の２個のガイド溝１５の間の外面には、軸方向に平行な滑り止め用の突条１３ａを周方向に等間隔に形成している。
【００１８】
図１乃至図４、図６及び図７に示す如く、コイルバネ１８は、継手受け口部２の端面と外リング１３のフランジ１６の間に複数個（本実施例では６個）周方向に等間隔に配置し、外リング１３及びスリーブ９に均等にバネ力を付勢し、これらを傾けることなく軸方向外側へ押し出し移動できるようにしてある。また継手受け口部２の端面には、円形の軸孔１９をコイルバネ１８と同数周方向に等間隔に形成し、各軸孔１９に１個ずつコイルバネ１８の一端をはめ込み、各コイルバネ１８の位置決めを行うと共に、各軸孔１９は、外リング１３を継手受け口部２に対して最も押し込んだ軸方向位置にて位置保持したときの圧縮状態のコイルバネ１８を内装可能な直径と深さに形成し、外リング１３をこのフランジ１６が継手受け口部２の開口端面に当接又は可及的に接近する軸方向位置まで継手受け口部２に対して押し込み可能とし、抜け止め機構１２が作動状態にあるときの継手受け口部２の開口端部から軸方向外側への外リング１３及びスリーブ９の張り出し長さを最小限に押さえ、継手受け口部２の長さがあまり長くならないようにしてある。
【００１９】
ところで、図１乃至図９に示す如く、継手受け口部２の開口端部には、挿入管Ｐの自重及び曲げ荷重を受けるために、スリーブ９の内径以上で挿入管Ｐの外径以下の突起２０を抜け止め玉１１と同数（本実施例では６個）だけ周方向に等間隔に形成している。各突起２０は、この先端面を結ぶ円の直径がスリーブ９の内径以上で挿入管Ｐの外径以下になるように、継手受け口部２の開口端からテーパ溝３までの内面から半径方向内側へ突出形成している。一方、スリーブ９には、継手受け口部２に対する挿入端から各突起２０をはめ込む所定深さの切り込み２１を、突起２０と同数（本実施例では６本）だけ周方向に等間隔に形成し、この各切り込み２１の間のスリーブ９となる６本のスリーブ片９ａが継手受け口部２のパッキン装着溝６の直前まで挿入でき、かつ、継手受け口部２より軸方向外側の内周で軸方向に移動自在に挿入できるようにしてある。これによって、継手受け口部２の各突起２０が、スリーブ９の各切り込み２１部からスリーブ９の内面と挿入管Ｐの外面の間に形成される周方向の隙間（クリアランス）内に突出し、挿入管Ｐの自重及び曲げ荷重を受けるから、スリーブ９は、挿入管Ｐの自重及び曲げ荷重を受けることなく軸方向に容易に移動できるようになっている。
【００２０】
切り込み２１は、抜け止め玉１１を１個ずつはめ込み保持するための６個の貫通孔１０の間に１本ずつ形成し、各切り込み２１の間のスリーブ９となる６本のスリーブ片９ａの継手受け口部２に対する挿入端側部で周方向中央部に１個ずつ貫通孔１０を開口形成し、６本の切り込み２１と６本のスリーブ片９ａを周方向に交互に形成している。また切り込み２１は、この周方向の切り込み幅を、突起２０の周方向の幅より長く、かつ、各スリーブ片９ａの周方向の幅が継手受け口部２の開口端部における各突起２０の間の谷部の周方向の幅より若干短くなる幅に形成すると共に、継手受け口部２に対する挿入側端からの軸方向の切り込み深さを、スリーブ９の他端に達しない深さで、かつ、継手受け口部２の開口端からパッキン装着溝６までの軸方向長さとほぼ同じ長さに形成している。
【００２１】
次に、継手受け口部２の組み立てについて説明すると、先ず、抜け止め玉１１をスリーブ９に対してセットしておくもので、抜け止め玉１１を、スリーブ９の各貫通孔１０に対して外面側から少し力を加えて強制的に最も深い深さ位置に押し込み、各貫通孔１０の対向するテーパ面１０ａの間で挟持させ、各貫通孔１０内にはめ込み保持させる。このように、各貫通孔１０に対する抜け止め玉１１のはめ込み保持をワイヤを用いることなく行うから、スリーブ９に対する抜け止め玉１１のセットが容易に行えると共に、ステンレス等の硬い金属材料からなる小さな抜け止め玉１１にワイヤを通す軸孔を加工形成する必要もなく、抜け止め玉１１を廉価に得ることができる。
【００２２】
続いて、ゴムパッキン８を継手受け口部２のパッキン装着溝６にはめ込み、自由状態のコイルバネ１８を継手受け口部２の各軸孔１９にはめ込んだ後、継手受け口部２の外周に外リング１３をはめるもので、外リング１３のフランジ１６で各コイルバネ１８を圧縮しながら、この外リング１３のフランジ１６と反対側の端部を継手受け口部２の開口端部外周に少しだけはめ、この状態で外リング１３を一方向に回転させ、継手受け口部２側の２本の係合ピン１４に、外リング１３側の２個のガイド溝１５のピン導入溝部１５ｃの開放端部を合わせ、この回転位置で外リング１３を継手受け口部２に対してさらに押し込み、係合ピン１４をピン導入溝部１５ｃ内にはめ込む。この後はピン導入部１５ｃに沿って外リング１３を継手受け口部２に対して押し込み、また一方向に回転させ、係合ピン１４を縦溝部１５ａ内にはめ込む。ここで、外リング１３から手を離すと、外リング１３が、各コイルバネ１８による軸方向外側への付勢と、係合ピン１４と縦溝部１５ａの一端の係合による抜け止めによって、継手受け口部２の外周の最押し出し位置にはめ合い保持されるが、さらに縦溝部１５ａ及び横溝部１５ｂに沿って外リング１３を継手受け口部２に対して押し込み、また一方向に回転させ、係合ピン１４を横溝部１５ｂ内にはめ込む。これによって、外リング１３が、各コイルバネ１８による軸方向外側への付勢に抗して、係合ピン１４と横溝部１５ｂの係合によって、継手受け口部２の外周の最押し込み位置にはめ合い保持される。
【００２３】
続いて、抜け止め玉１１をセットしたスリーブ９を、ゴムパッキン８及び各コイルバネ１８及び外リング１３を装着した継手受け口部２に対して挿入するもので、スリーブ９を、このフランジ１７と反対側の端部側で、抜け止め玉１１を保持した端部側から外リング１３のフランジ１６の内周から継手受け口部２の開口端部まで挿入し、この状態でスリーブ９を一方向に回転させ、スリーブ９の各切り込み２１を継手受け口部２の各突起２０に合わせる（スリーブ９の各スリーブ片９ａを継手受け口部２の各突起２０の間の谷部に合わせる）。この回転位置でスリーブ９を、このフランジ１７が最押し込み位置の外リング１３のフランジ１６の段差溝１６ａ部にはまり込む軸方向位置まで、継手受け口部２の内周に挿入する。これによって、各突起２０が各切り込み２１内にこの開口端部から奥側にはまり込みながら、先端部分に貫通孔１０を介して抜け止め玉１１を保持している各スリーブ片９ａが、各突起２０の間の谷部から継手受け口部２の内周奥側にはめ込まれ、抜け止め玉１１が継手受け口部２の玉収容溝４の内周側まで挿入され、この各スリーブ片９ａの間の切り込み１４から継手受け口部２の開口端部の各突起２０がスリーブ９の内面側に突出される。
【００２４】
最後に、継手受け口部２に装着したスリーブ９の各貫通孔１０に、最も深い深さ位置に押し込まれて対向するテーパ面１０ａの間に挟持されている抜け止め玉１１を、スリーブ９の内面側から外面側に押し出す。これによって、抜け止め玉１１は、各貫通孔１０にスリーブ９の外面側からはまり込み、軸方向及び周方向の移動が規制され、かつ、対向するテーパ面１０ａにて受け止められてスリーブ９の内周側への脱落が規制され、最も浅い深さ位置にてはめ込み保持され、抜け止め玉１１が継手受け口部２の玉収容溝４内に６個周方向に等間隔に収容保持される。
【００２５】
以上で継手受け口部２は、抜け止め機構１２が作動する前の非作動状態に組み立てられる。そして、この組み立て状態の継手受け口部２に対して挿入管Ｐの端部を、スリーブ９及びゴムパッキン８の内周に挿通させた状態で挿入することにより、継手受け口部２に挿入管Ｐの端部が気密に連結されるもので、ゴムパッキン８が、継手受け口部２の内面と挿入管Ｐの外面の間に形成される周方向の隙間の奥部に軸方向の移動が規制された状態で配置され、このゴムパッキン８の外面が継手受け口部２の内面に密着し、かつ、ゴムパッキン８の内面が挿入管Ｐの外面に密着し、継手受け口部２の内面と挿入管Ｐの外面の間に形成される周方向の隙間を塞ぐことによって、継手受け口部２と挿入管Ｐの間で気密を保持できる。
【００２６】
また、継手受け口部２の内面と挿入管Ｐの外面の間に形成される周方向の隙間でゴムパッキン８より軸方向外側には、抜け止め玉１１を継手受け口部２に対する挿入端側寄りの部位に６個周方向に等間隔に保持させたスリーブ９、即ち６本のスリーブ片９ａが軸方向に移動自在に配置されており、このスリーブ９に対してこれを軸方向外側へ押し出し移動させるバネ力を付勢し、抜け止め機構１２を作動させることによって、継手受け口部２に対して挿入管Ｐの端部を連結することができる。図１の左側の継手受け口部２、図４に示す非作動状態の抜け止め機構１２を作動させるには、継手受け口部２外周の最押し込み位置にはめ合い保持されている外リング１３を、組み立て時と逆方向に回転させ、係合ピン１４を横溝部１５ｂから縦溝部１５ａに移動させた状態で、外リング１３から手を離すことによって、外リング１３が各コイルバネ１８によって自動的に軸方向外側へ押し出される。この押し出しに伴って、外リング１３のフランジ１６に軸方向外側から重ね合わされているフランジ１７を有するスリーブ９も軸方向外側に押し出され、このスリーブ９の軸方向外側への移動によって、各スリーブ片９ａの貫通孔１０にはめ込み保持されて継手受け口部２の玉収容部４内に周方向に等間隔に配置されている６個の抜け止め玉１１が、スリーブ９と一体的に軸方向外側へ移動し、玉収容溝４内からテーパ溝３内へと移動することによって、このテーパ溝３の周壁面であるテーパ面３ａに各抜け止め玉１１のスリーブ９の外面側に突出する外表面を押し付け、各抜け止め玉１１に対してこれを半径方向内側へ押し込む力を付与し、各抜け止め玉１１を貫通孔１０の内方に強制的に押し込み、スリーブ９の内面からの抜け止め玉１１の突出量を増大させ（スリーブ９の外面からの抜け止め玉１１の突出量を減少させ）、挿入管Ｐの外面に各抜け止め玉１１のスリーブ９の内面側に突出する外表面を押し付け、継手受け口部２からの挿入管Ｐの抜け出しを防止する抜け止めを行う。図１の右側の継手受け口部２及び図３に示すように、抜け止め機構１２が作動作動状態になると、抜け止め玉１１が継手受け口部２のテーパ面３ａと挿入管Ｐの外面の間に噛み込んだ状態となり、この時点でスリーブ９の軸方向外側への移動が規制され、これに伴って外リング１３もこの最押し出し位置の少し手前で軸方向外側への移動も規制される。ここで、外リング１３を回転させるだけで、抜け止め機構１２を非作動状態から作動状態になすことができ、またガイド溝１５と係合ピン１４がインジケータの役目を果たし、抜け止め機構１２が作動したか否かを目視で確認できる。
【００２７】
継手受け口部２から挿入管Ｐを引き出す場合は、外リング１３を、縦溝部１５ａ及び横溝部１５ｂに沿って継手受け口部２に対して押し込み、また一方向に回転させ、係合ピン１４を横溝部１５ｂ内にはめ込み、各コイルバネ１８による軸方向外側への付勢に抗して、係合ピン１４と横溝部１５ｂの係合によって、継手受け口部２の外周の最押し込み位置にはめ合い保持させた後、スリーブ９を、このフランジ１７が最押し込み位置の外リング１３のフランジ１６の段差溝１６ａ部にはまり込む軸方向位置まで、継手受け口部２の内周に挿入し、抜け止め玉１１を継手受け口部２のテーパ溝３の内周側から玉収容溝４の内周側に移動させ、抜け止め機構１２を非作動状態とすることによって、挿入管Ｐの外面に対する各抜け止め玉１１の押し付けを解除し、継手受け口部２に対する挿入管Ｐの端部の抜き挿しを可能とする。
【００２８】
上記のように抜け止め機構１２は、スリーブ９の軸方向の移動によって、作動状態と非作動状態に切り換えるもので、この場合、挿入管Ｐの自重及び曲げ荷重は、スリーブ９ではなく、このスリーブ９の内面と挿入管Ｐの外面の間の周方向の隙間に突出させた継手受け口部２の各突起２０によって受けるから、スリーブ９は、挿入管Ｐの自重及び曲げ荷重をうけることなく軸方向へ容易に移動でき、作業性が良くなり、また所定の抜け止め作用を確実に安定して得ることができるようになっている。
【００２９】
図１５はスリーブの押し出し手段の変形例を示し、この変形例は、スリーブ９のフランジ１７を、外リング１３のフランジ１６の軸方向内側に重ね合わせ、継手受け口部２とこの端面に対向するスリーブ９のフランジ１７の間にコイルバネ１８を設け、スリーブ９のフランジ１７に直接バネ力を付勢できるようにしてある。これによって、スリーブが外リング１３の軸方向外側及び軸方向内側への移動に連動して移動することができるようになる。
【００３０】
尚、コイルバネ１８に代えてリング状の板バネを継手受け口部２の端面とこの端面に対向する外リング１３のフランジ１６の間に配置してもよく、リング状の板バネは、軸方向外側に膨出して外面をフランジ１６の内面に当接させる膨出部を周方向に等間隔に設けたものである。
【００３１】
【発明の効果】
以上実施例から明らかなように本発明は、継手本体１と管Ｐの間にスリーブ９及びこれに保持させる抜け止め玉１１を配置し、スリーブ９を軸方向外側へ移動させることによって、継手本体１の内面に形成した奥側が大径となるテーパ面３ａで抜け止め玉１１を管Ｐ外面に押し付け、管Ｐの抜け出しを防止する抜け止め機構１２を備えた管継手において、継手本体１の開口端部にスリーブ９内径以上で管Ｐ外径以下の突起２０を周方向に所定間隔おきに形成し、スリーブ９にこの一端から継手本体１の各突起２０をはめ込む所定深さの切り込み２１を形成したもので、この構成を採用することによって、継手本体１の各突起２０にて管Ｐの自重及び曲げ荷重を受けるから、スリーブ９は、管Ｐの自重及び曲げ荷重を受けることなく軸方向に容易に移動できるようになり、作業性が良くなり、また所定の抜け止め作用を確実に安定して得ることができる等の顕著な効果を奏する。
【図面の簡単な説明】
【図１】本発明に係る管継手の一実施例を示す全体断面図
【図２】全体正面図
【図３】抜け止め機構の作動状態を示す継手受け口部の部分拡大断面図
【図４】抜け止め機構の非作動状態を示す継手受け口部の部分拡大断面図
【図５】本発明の主要部を示す継手受け口部の部分拡大断面図
【図６】継手受け口部の断面図
【図７】継手受け口部の正面図
【図８】スリーブの断面図
【図９】スリーブの底面図
【図１０】スリーブの部分拡大断面図
【図１１】抜け止め玉の拡大正面図
【図１２】外リングの半断面図
【図１３】外リングの正面図
【図１４】外リングのガイド溝部の部分側面図
【図１５】スリーブ押し出し手段の変形例を示す部分拡大断面図
【符号の説明】
Ｐ    管
１    継手本体
２    継手受け口部
３ａ  テーパ面
９    スリーブ
１１  抜け止め玉
１２  抜け止め機構
２０  突起
２１  切り込み
【図１】
2004197855.tif 000003
【図２】
2004197855.tif 000004
【図３】
2004197855.tif 000005
【図４】
2004197855.tif 000006
【図５】
2004197855.tif 000007
【図６】
2004197855.tif 000008
【図７】
2004197855.tif 000009
【図８】
2004197855.tif 000010
【図９】
2004197855.tif 000011
【図１０】
2004197855.tif 000012
【図１１】
2004197855.tif 000013
【図１２】
2004197855.tif 000014
【図１３】
2004197855.tif 000015
【図１４】
2004197855.tif 000016
【図１５】
2004197855.tif 000017